(57)【要約】  本発明は、ロッカリングを有するブレード（４）と、その底側にブレード（４）を保持し、その上側に、スケートシューズ（２）またはブラケット（８）のかかと部分のためのかかと支持体（５）、およびピボット（７）を介してスケートシューズ（２）またはブラケット（８）の前方部分に接続された足前部支持体（６）を備えた、フレーム（３）と、を含んでなるクラップスケート（１）に関する。足前部支持体（６）は、フレーム（３）への固定接続部を提供し、固定接続部は、ピボット（７）の前に延び、ピボット（７）の後ろに最大で５ｍｍ延びている。
2021531130.tif 000002
【特許請求の範囲】
【請求項１】
ロッカリングを有するブレード（４）と、その底側に前記ブレード（４）を保持し、その上側に、スケートシューズ（２）またはブラケット（８）のかかと部分のためのかかと支持体（５）、およびピボット（７）を介してスケートシューズ（２）またはブラケット（８）の前方部分に接続された足前部支持体（６）を備えた、フレーム（３）と、を含んでなるクラップスケート（１）において、前記足前部支持体（６）は、前記フレーム（３）への固定接続部を提供し、前記固定接続部は、前記ピボット（７）の前に延び、前記ピボット（７）の後ろに最大で５ｍｍ延びていることを特徴とする、クラップスケート（１）。
【請求項２】
前記固定接続部は、前記ピボット（７）の前に延び、前記ピボット（７）の後ろに最大で２ｍｍ延びていることを特徴とする、請求項１に記載のクラップスケート（１）。
【請求項３】
前記固定接続部は、全体的に前記ピボット（７）の前に延びていることを特徴とする、請求項２に記載のクラップスケート（１）。
【請求項４】
前記足前部支持体（６）は、前記ピボット（７）の後ろに延び、前記ピボット（７）の後ろに延びる部分は、側方切り離し部（１０、１１、１２）を含むことを特徴とする、請求項１から３のいずれか一項に記載のクラップスケート（１）。
【請求項５】
前記足前部支持体（６）の少なくとも後方部分は、凹部（１１）を備え、前記凹部（１１）は、前記足前部支持体（６）の上部の一部を、前記足前部支持体（６）の後方部分の一部から切り離していることを特徴とする、請求項４に記載のクラップスケート（１）。
【請求項６】
ベアリング（１２）、バネ、またはヒンジが、前記凹部（１１）内に位置していることを特徴とする、請求項５に記載のクラップスケート（１）。
【請求項７】
前記ベアリング（１２）、バネ、またはヒンジのうちの一つは、ベアリングボールまたはローラー（１２）を含み、それ以外は、前記ベアリングボールまたはローラー（１２）が転がるための表面を含むことを特徴とする、請求項６に記載のクラップスケート（１）。
【請求項８】
前記ロッカリングの中心は、前記かかと支持体（５）および前記足前部支持体（６）より上で、かつ前記かかと支持体（５）と前記足前部支持体（６）との間に位置付けられていることを特徴とする、請求項１から７のいずれか一項に記載のクラップスケート（１）。
【請求項９】
前記ロッカリングは、５〜３０ｍの範囲、好ましくは２１〜２７ｍの範囲の半径を有することを特徴とする、請求項１から８のいずれか一項に記載のクラップスケート（１）。
【請求項１０】
前記フレーム（３）は、管状であり、さらに／或いは、アルミニウムから作られていることを特徴とする、請求項１から９のいずれか一項に記載のクラップスケート（１）。
【請求項１１】
ロッカリングを有するブレード（４）と、その底側に前記ブレード（４）を保持し、その上側に、スケートシューズ（２）またはブラケット（８）のかかと部分のためのかかと支持体（５）、およびピボット（７）を介してスケートシューズ（２）またはブラケット（８）の前方部分に接続された足前部支持体（６）を備えた、典型的には金属管を含む、フレーム（３）と、を含んでなるクラップスケート（１）のための下部構造において、前記足前部支持体（６）は、前記フレーム（３）への固定接続部を提供し、前記固定接続部は、前記ピボット（７）の前に延び、前記ピボット（７）の後ろに最大で５ｍｍ延びていることを特徴とする、下部構造。
【請求項１２】
前記固定接続部は、前記ピボット（７）の前に延び、前記ピボット（７）の後ろに最大で２ｍｍ延びていることを特徴とする、請求項１１に記載の下部構造。
【請求項１３】
前記固定接続部は、全体的に前記ピボット（７）の前に延びていることを特徴とする、請求項１２に記載の下部構造。
【請求項１４】
前記足前部支持体（６）は、前記ピボット（７）の後ろに延び、前記ピボット（７）の後ろに延びる部分は、側方切り離し部（１０、１１、１２）を含むことを特徴とする、請求項１１から１３のいずれか一項に記載の下部構造。
【請求項１５】
前記足前部支持体（６）の少なくとも後方部分は、凹部（１１）を備え、前記凹部（１１）は、前記足前部支持体（６）の上部の一部を、前記足前部支持体（６）の後方部分の一部から切り離していることを特徴とする、請求項１４に記載の下部構造。
【発明の詳細な説明】
【技術分野】
【０００１】
本発明は、ロッカリングを有するブレードと、その底側にブレードを保持し、その上側に、スケートシューズまたはブラケットのかかと部分のためのかかと支持体、およびピボットを介してスケートシューズまたはブラケットの前方部分に接続された足前部支持体を備えた、典型的には金属管を含む、フレームと、を含んでなるクラップスケートに関する。さらに、本発明は、クラップスケートのための下部構造に関する。
【背景技術】
【０００２】
米国特許第６，１９３，２４３号明細書（特許文献１）は、クラップスケートに関し、これは、「スケートシューズの足裏部分を上に留めるように構成された足前部支持体。足前部支持体は、横向きのピボットピンの周りでスケートフレームの前方部分に旋回可能に接続され、スケートシューズを上に備えた前記足前部支持体がピボットピンの周りで正常位置から前方に傾斜することを可能にし、それによって、スケートシューズは、そのかかと部分が、スケートフレームの後方部分から持ち上げられる。ピボットピンは、スケートフレームの前方部分から上方に延びる２つのブラケットフランジ間に保持される。足前部支持体を正常位置に戻すのに役立つバネ機構が、Ｕ字型のバネワイヤを含み、その交差部分は足前部支持体の上面に係合し、その脚部はらせん状に巻かれた部分を備える。らせん状に巻かれた部分はそれぞれ、ピボットピンの周りでフランジと前記足前部支持体の１つの側方端部との間の中間の空間に位置付けられる」を含む。
【０００３】
国際公開第９６／３７２６９号（特許文献２）は、「ホイールによってスライド可能もしくは回転可能であるスキー板、特にクロスカントリー用のスキー板、またはアイススケートもしくはローラースケートのためのスケートフレームなどの靴に連結されるスポーツ用デバイスのためのフレームであり、このフレームは、ユーザが着用する靴に連結される手段を備える上方サブフレームと、主平面で旋回するためにピボット機構を介して前記上方サブフレームに連結され、ランナーまたはホイールを備えるか、または備えるように構成された、下方サブフレームと、両方のサブフレームを互いに向かって押すためのリセット用バネ手段と、を含む」に関する。
【０００４】
米国特許出願公開第２００４／０９００２２号（特許文献３）は、靴をスポーツ用デバイス、例えばアイススケート、ローラースケート、スキー板、および他の類似のスポーツ用デバイスに旋回可能に接続するための接続機構に関する。ある実施形態では、接続機構は、「第１の端部９´と、第２の端部９″と、を含み得る接続要素９。接続要素９の第１の端部９´は、スポーツ用デバイス６に取り付けられるか、装着されるか、または別様に配置され得る。接続要素９の第２の端部９″は、第２のピボット３を介して連結要素８の第２の端部８″に取り付けられ得る」を含む。
【０００５】
クラップスケートでは、スケートフレームは、足前部支持体と、かかと支持体と、を有する。足前部支持体は、フレームの前方部分に固定され、例えば溶接され、本質的にフレームに対して固定された、ピボット、典型的には横向きのピボットピンを含む。スケートシューズの足前部は、直接、もしくは例えばブラケットを介して、ピボットに取り付けられるか、または取り付けられ得る。かかと支持体は、フレームの後方部分に固定され、例えば溶接される。スケートシューズのかかと部分は、直接、もしくは例えばブラケットを介して、かかと支持体に解放可能に取り付けられる。フレームおよびスケートシューズまたはブラケットに取り付けられた、少なくとも１つのバネが、かかと支持体によってスケートシューズまたはブラケットのかかと部分に付勢された状態に、フレームおよびブレードを弾性的に維持する。
【０００６】
スケート中、ストロークの終了間近に、スケート靴が開き、すなわち、フレーム上のかかと支持体およびスケートシューズまたはブラケットのかかと部分が係合解除され、スケーターの足が、前方に、スケートフレームから離れて傾斜し、一方、ブレードはバネの作用に抵抗して、氷と接触したままである。スケーターが自分の足を持ち上げると、バネはフレームをその正常位置または閉鎖位置に引っ張り、すなわち、フレームのかかと支持体はスケートシューズまたはブラケットのかかと部分に再び係合し、典型的には「パチン（clap）」という音を出す（したがって、「クラップスケート」という名前である）。よって、フレームとスケートシューズとの間のピボット接続により、スケーターの足はスケートフレームから離れることができ、一方、ブレードは、氷との接触を維持し、ストロークを延長させて効率を改善する。
【先行技術文献】
【特許文献】
【０００７】
【特許文献１】米国特許第６，１９３，２４３号明細書
【特許文献２】国際公開第９６／３７２６９号
【特許文献３】米国特許出願公開第２００４／０９００２２号明細書
【発明の概要】
【発明が解決しようとする課題】
【０００８】
本発明の目的は、クラップスケートの有効性を改善し、よって、スケーターがさらに速い速度を達成するのを可能にすることである。
【課題を解決するための手段】
【０００９】
このために、本発明によるクラップスケートは、足前部支持体がフレームへの固定接続部を提供し、固定接続部は、ピボットの前に延び、ピボットの後ろに最大で５ｍｍ、例えばピボットの後ろに３ｍｍ延びることを特徴とする。改良版では、固定接続部は、ピボットの前に延び、ピボットの後ろに最大で２ｍｍ、例えばピボットの後ろに０.５ｍｍ延びる。さらなる改良版では、固定接続部は、全体的にピボットの前に延び、すなわち、ピボットの後ろに固定接続部がない。
【００１０】
本発明では、クラップスケートの有効性、よってスケーターの速度が改善され、これは、能力の高いスケーターで特に顕著である。この改善の背景にあるメカニズムは、現在以下の通りと考えられている。プッシュオフの間、スケート靴のブレードは弾性的に曲がる。大半のスピードスケート靴のブレードがそうであるように、ロッカリングを含むブレードでは、氷によってブレードに及ぼされる反力は、比較的小さな領域、例えばブレードに沿って３〜５ｃｍ延びる領域に集中し、その結果、ブレードがわずかに湾曲する。ストローク中、この領域の場所は、ブレードの後ろ半分からブレードの前部に向かって移動する。ストロークの終了間近、スケートが開く直前に、この領域の中心がおおよそクラップスケートのピボットにあるとき、ブレードは、二重波（double wave）または同様の形態に曲がる。この二重波は、有効性に影響を及ぼす、すなわち氷上での前方へのスライド運動を妨げる、氷との相互作用を引き起こすことが分かった。本発明では、すなわち、先行技術のスケート靴で見られるように大部分がピボットの後ろに延びる固定接続部の代わりに、フレームへの足前部支持体の固定接続部を提供して、この固定接続部を、ピボットの前に延ばし、ピボットの後ろに最大で５ｍｍ延ばすことによって、この相互作用は減少され、すなわち延期され、かつ／またはその持続時間が短縮され、有効性が改善される。
【００１１】
ある実施形態では、足前部支持体はピボットの後ろに延び、ピボットの後ろに延びる部分は、下方に支持され、側方が切り離される。改良版では、足前部支持体の少なくとも後方部分が、凹部、例えば切り欠きを備え、これは、足前部支持体の上部の一部を足前部支持体の後方部分の一部（下部）から切り離す。
【００１２】
ベアリング、バネ、例えばエラストマー要素、または（ダブル）ヒンジが凹部内に位置するのが好ましい。ある実施形態では、上記一部のうちの一方は、ベアリングボールまたはローラーを含み、他方は、ボールまたはローラーが転がるための表面を含む。
【００１３】
よって、側方方向への切り離しにも関わらず、下方向への支持が維持される。
【００１４】
ある実施形態では、足前部支持体およびかかと支持体は、ブリッジの一部であるか、またはブリッジによって相互接続される。ブリッジは、例えば足前部支持体とかかと支持体との間の中ほどで、フレームに接続され得る。しかしながら、ブリッジが、ピボットの後ろに少なくとも５ｃｍ、好ましくは少なくとも１０ｃｍ延びる領域に、存在する場合、ブリッジとフレームとの間に接続部がないことが好ましい。ある実施形態では、ブリッジは、足前部支持体およびかかと支持体によってフレームに接続されるのみである。
【００１５】
本発明は、ロッカリングを有するブレードと、その底側にブレードを保持し、その上側に、スケートシューズまたはブラケットのかかと部分のためのかかと支持体、およびピボットを介してスケートシューズまたはブラケットの前方部分に接続された足前部支持体を含む、典型的には金属管を含む、フレームと、を含むクラップスケートのための下部構造において、足前部支持体は、フレームへの固定接続部を提供し、この接続部は、ピボットの前に延び、ピボットの後ろに最大で５ｍｍ、好ましくは最大で２ｍｍ延びることを特徴とする、下部構造にさらに関する。ある実施形態では、固定接続部は、全体的にピボットの前に延び、すなわち、ピボットの後ろに固定接続部がない。
【００１６】
本発明によるクラップスケートに関して前述した実施形態は、この下部構造にも当てはまる。
【００１７】
本発明の枠組み内では、用語「前方」および「後方」は、通常のスケーティング方向において見たスケート靴の部品の場所を指す。用語「上部」および「底部」は、スケート靴が直立して位置していて、そのブレードが氷上にある場合のスケート靴の部品の場所を指す。ロッカリングは、典型的には、５〜３０ｍの範囲、さらに具体的には、ショートトラックスピードスケートでは５〜１５ｍの範囲、ロングトラックスピードスケートでは２１〜２７ｍの範囲の、半径を有する。ロッカリングの中心、すなわち、ロッカリングを画定する虚円の中心は、かかと支持体および足前部支持体より上で、かつかかと支持体と足前部支持体との間に位置付けられるのが好ましい。
【図面の簡単な説明】
【００１８】
【図１】本発明によるクラップスケートの左側面図である。
【図２】図１に示すクラップスケートの下部構造の右側面図である。
【図３】図２に示す下部構造の断面の後面図である。
【図４】図２に示す下部構造で使用される足前部支持体の右側面図、後面図、および２つの斜視図を含む。
【発明を実施するための形態】
【００１９】
図面は概略的な性質のものであり、本発明の理解に必要とされない細部は、省略されている場合があることに注意されたい。
【００２０】
図１は、スケートシューズ２と、管状フレーム３と、フレームの底側に保持され、例えば溶接された、ランナーまたはスチールとしても知られる、ブレード４と、を含むクラップスケート１を示す。かかと支持体５および足前部支持体６が、フレームに、その後端部および前端部それぞれの近くで固定され、例えば溶接される。足前部支持体６は、ピボット、典型的には横向きのピボットピン７を含み、これにブラケット８が取り付けられる。よって、ブラケットおよびスケートシューズは、フレームおよびブレードに旋回可能に取り付けられる。
【００２１】
スケートシューズ２は、それ自体で知られる方法で、ブラケット８上に調節可能に装着される。ブラケットのかかと部分９は、フレーム３上のかかと支持体５に解放可能に係合する。さらに、少なくとも１つのバネ（不図示）が、一方ではフレーム３に、他方ではブラケット８に取り付けられて、ブラケット８のかかと部分９と係合するよう、かかと支持体５を付勢する。
【００２２】
足前部支持体６は、その後方セクションに、（図４で最もよく分かる）切り欠き１０を備え、これは、支持体６の上部および底部の後部を、ピボット７まで、かつこれをわずかに越えて、切り離す。切り欠きの後端部は、追加の凹部１１を備え、これは、ベアリングボール、または、この実施例ではローラー１２（図３）を、その回転軸がブレード４に平行に延びた状態で収容する。
【００２３】
よって、フレームへの接続部の固定部分は、全体的にピボットの前に延び、足前部支持体の残りの部分は、側方が切り離される。
【００２４】
本発明は、前述した実施形態に制限されず、特許請求の範囲内で多くの方法で変更され得る。
【符号の説明】
【００２５】
１  クラップスケート
２  スケートシューズ
３  管状フレーム
４  ブレード
５  かかと支持体
６  足前部支持体
７  ピボットピン
８  ブラケット
９  かかと部分
１０  切り欠き
１１  凹部
１２  ローラー
【図１】
2021531130.tif 000003
【図２】
2021531130.tif 000004
【図３】
2021531130.tif 000005
【図４】
2021531130.tif 000006
【国際調査報告】
2021531130.tif 000007
2021531130.tif 000008
2021531130.tif 000009